(57)【要約】  【課題】上限用固定ストッパ体及び上限用可動ストッパ体の変形破損、動作不良、騒音等を生じ難くできて、耐久性、信頼性を向上できるようにされた電動流量制御弁を提供する。  【解決手段】電動流量制御弁１０のキャン２０に固定された上限用固定ストッパ体３０は、板金製で、逆フライパン形状とされ、その上面部３２に複数の扇形ないし円弧形状の係止用開口３５が所定角度間隔で配列形成されている。電動流量制御弁１０のロータ１２に固定された上限用可動ストッパ体５０は、基板部５２と、該基板部５２から上側に所定角度αだけ折り立てられた斜板部５４と、該斜板部５４から折り曲げられた衝接辺部５５と、を有し、衝接辺部５５の先端５５ａが前記係止用開口３５の周方向一端縁部３５ａにより接当係止されるようになっている。そして、衝接辺部５５は、回転平面（水平面）に対して上側に所定角度β（０°〜２０°の範囲内）だけ傾斜せしめられている。【選択図】  図６
2007032664.tif 000002
【特許請求の範囲】
【請求項１】
弁座を有する弁室が設けられた弁本体と、前記弁座に接離する弁体を有する弁軸と、前記弁本体に接合されたキャンと、該キャンの内周に配在されて前記弁軸に一体的に取り付けられたロータと、該ロータを回転駆動すべく前記キャンの外周に配置されたステータと、前記ロータの上昇限界を定めるべく、前記キャンの頂部近くの内周に配設固定された上限用固定ストッパ体及び前記ロータの上部に取り付けられた上限用可動ストッパ体と、を備えた電動流量制御弁であって、
前記上限用固定ストッパ体は、逆フライパン形状とされ、その上面部に複数の扇形ないし円弧形状の係止用開口が所定角度間隔をもって配列形成され、前記各係止用開口の周方向一端縁部により前記上限用可動ストッパ体が接当係止されるようになっており、
前記上限用可動ストッパ体は、板金製で、基板部と、該基板部から上側に所定角度だけ折り立てられた斜板部と、該斜板部から折り曲げられた衝接辺部と、を有し、前記衝接辺部の先端が前記係止用開口の周方向一端縁部により接当係止されるようになっており、
前記衝接辺部は、回転平面に対して上側に傾斜せしめられていることを特徴とする電動流量制御弁。
【請求項２】
前記衝接辺部の回転平面に対する傾斜角度が０°〜２０°の範囲内に設定されていることを特徴とする請求項１に記載の電動流量制御弁。
【請求項３】
前記衝接辺部の平面視長が、前記係止用開口の周方向長より長くされていることを特徴とする請求項１又は２に記載の電動流量制御弁。
【発明の詳細な説明】
【技術分野】
【０００１】
本発明は、電動流量制御弁に係り、特に、空調機や冷蔵庫等の冷凍サイクルに組み込んで使用するのに好適な電動流量制御弁に関する。
【背景技術】
【０００２】
この種の冷凍サイクルに使用される電動流量制御弁としては、下記特許文献１にも見られるように、弁座を有する弁室が設けられた弁本体と、前記弁座に接離する弁体を有する弁軸と、前記弁本体に接合されたキャンと、該キャンの内周に配在されて前記弁軸に一体的に取り付けられたロータと、該ロータを回転駆動すべく前記キャンの外周に配置されたステータと、前記弁体を前記弁座に接離させるべく、前記弁軸及びロータを昇降させるねじ送り機構と、前記ロータの上昇限界を定めるべく、前記キャンの頂部近くに配設固定された上限用固定ストッパ体及び前記ロータの上部に取り付けられた上限用可動ストッパ体と、を備えているものが知られている。
【０００３】
かかる構成の電動流量制御弁は、ステータが通電励磁されると、ロータ及び弁軸が回転するとともに、前記ねじ送り機構により昇降せしめられ、これによって弁開度が変化せしめられ、冷媒の流量が調整される。
【０００４】
ところで、前記特許文献１に所載の電動流量制御弁では、ロータが上昇限界まで回転しながら上昇すると、上限用可動ストッパ体としての開弁規制ピンが、上限用固定ストッパ体としての停止部材に接当してロータの上昇限界位置が規制される構造を採用している。
【０００５】
しかしながら、前記停止部材は、例えばステンレス製で、前記開弁規制ピンが停止部材の側面に当接する場合には問題ないが、ピンの頂部が停止部材の底面にはまり込む様な位置で当接すると、停止部材とピンが摩擦による固結又はピンが乗り越え、ロータが逆方向（閉弁方向）に回転することができなくなる不具合が生ずる懸念があった。
【０００６】
かかる不具合を生じないようにすべく、下記特許文献２には、上限用固定ストッパ体及び上限用可動ストッパ体として、次のような構成のものが提案されている。
【０００７】
以下に、図８（Ａ）を参照しながら簡単に説明する。すなわち、上限用固定ストッパ体１３０は、例えば、板金製で、逆フライパン形状（図４等も参照）とされ、その上面部１３２に複数の扇形ないし円弧形状の係止用開口１３５が所定角度間隔をもって配列形成され、前記各係止用開口１３５の周方向一端縁部１３５ａにより上限用可動ストッパ体１５０が係止されるようになっている。
【０００８】
また、上限用可動ストッパ体１５０は、例えば、板金製で、概略円環状の基板部１５２と、該基板部１５２から上側に所定角度だけ折り立てられた斜板部１５４と、該斜板部１５４から回転平面（水平面）と平行となるように折り曲げられた衝接辺部１５５と、を有し、衝接辺部１５５の先端１５５ａが前記係止用開口１３５の周方向一端縁部１３５ａにより係止されるようになっている。
【０００９】
かかる構成では、上限用可動ストッパ体１５０に斜板部１５４が設けられているので、上限用固定ストッパ体１３０の下面に衝接辺部１５５が接触したときに、下動しやすく、また、下動角度が少なくて済むから、変形が繰り返されても素材の金属疲労等が発生し難く、両ストッパ体１３０、１５０の耐久性が向上する。
【特許文献１】特開平１０−８９５２１号公報
【特許文献２】特開２００２−３５７２７７号公報
【発明の開示】
【発明が解決しようとする課題】
【００１０】
しかしながら、前記特許文献２に所載のものでも、図８（Ｂ）に示される如くに、衝接辺部１５５が上限用固定ストッパ体１３０の上面部１３２に乗り上げてしまい、上限用可動ストッパ体１５０及び上限用固定ストッパ体が変形破損するおそれがあるとともに、図８（Ｃ）に示される如くに、衝接辺部１５５が上限用固定ストッパ体１３０の下面に面接触して固結する等の動作不良を生じたり、騒音が発生する等の問題を生じるおそれがあった。
【００１１】
本発明は、このような事情に鑑みてなされたものであって、その目的とするところは、
上限用固定ストッパ体及び上限用可動ストッパ体の変形破損、動作不良、騒音等を生じ難くできて、耐久性、信頼性を向上できるようにされた電動流量制御弁を提供することにある。
【課題を解決するための手段】
【００１２】
前記の目的を達成すべく、本発明に係る電動流量制御弁は、弁座を有する弁室が設けられた弁本体と、前記弁座に接離する弁体を有する弁軸と、前記弁本体に接合されたキャンと、該キャンの内周に配在されて前記弁軸に一体的に取り付けられたロータと、該ロータを回転駆動すべく前記キャンの外周に配置されたステータと、前記ロータの上昇限界を定めるべく、前記キャンの頂部近くの内周に配設固定された上限用固定ストッパ体及び前記ロータの上部に取り付けられた上限用可動ストッパ体と、を備える。
【００１３】
前記上限用固定ストッパ体は、逆フライパン形状とされ、その上面部に複数の扇形ないし円弧形状の係止用開口が所定角度間隔をもって配列形成され、前記各係止用開口の周方向一端縁部により前記上限用可動ストッパ体が係止されるようになっている。
【００１４】
前記上限用可動ストッパ体は、板金製で、基板部と、該基板部から上側に所定角度だけ折り立てられた斜板部と、該斜板部から折り曲げられた衝接辺部と、を有し、前記衝接辺部の先端が前記係止用開口の周方向一端縁部により接当係止されるようになっている。
【００１５】
そして、前記衝接辺部は、回転平面に対して上側に傾斜せしめられている。
この場合、前記衝接辺部の回転平面に対する傾斜角度は、０°〜２０°の範囲内に設定することが好ましい。すなわち、２０°以上であると、衝接辺部が上限用固定ストッパ体の上面部に乗り上げやすくなり、０°以下（水平もしくは下向き）であると、衝接辺部が上限用固定ストッパ体の下面に面接触して固結する等の動作不良や騒音が発生しやすくなる。
【００１６】
他の好ましい態様では、前記衝接辺部の平面視長が、前記係止用開口の周方向長より長くされる。
【発明の効果】
【００１７】
本発明に係る電動流量制御弁では、上限用可動ストッパ体の衝接辺部が、回転平面に対して上側に傾斜（０°〜２０°の範囲内）せしめられているので、衝接辺部が上限用固定ストッパ体の上面部に乗り上げ難くなる。そのため、上限用固定ストッパ体及び上限用可動ストッパ体の変形破損を招き難くなり、また、衝接辺部が上限用固定ストッパ体の下面に面接触して固結する等の動作不良や騒音も生じ難くなり、耐久性、信頼性を向上できる。
【００１８】
また、衝接辺部の平面視長を、上限用固定ストッパ体の係止用開口の周方向長より長くすることにより、上昇時において、衝接辺部の先端部が上限用固定ストッパ体の上面部に乗り上げる前に、衝接辺部の後端側が上限用固定ストッパ体の下面に接当するので、衝接辺部の上限用固定ストッパ体の上面部への乗り上げを防ぐことができ、衝接辺部の先端を上限用固定ストッパ体の係止用開口で確実に接当係止できる。
【発明を実施するための最良の形態】
【００１９】
以下、本発明の電動流量制御弁の実施形態を図面を参照しながら説明する。
図１、図２は、それぞれ本発明に係る電動流量制御弁の一実施形態の要部を示す部分切欠斜視図、縦断面図である。なお、本実施形態の電動流量制御弁１０の基本構成は、前記した特許文献１、２に所載のものと略同じであるので、ここでは、相違点を重点的に説明する。
【００２０】
本実施形態の電動流量制御弁１０では、弁軸１５、ロータ１２、及びロータ１２の内周を構成するスリーブ１３が一体的に結合されており、ロータ１２（スリーブ１３）の上部には、皿ばね１６、上限用可動ストッパ体５０、及びＣ型止め輪１７が順次重ねられて共締め固定されている。
【００２１】
また、キャン２０の頂部２１近くの内周には、上限用固定ストッパ体３０が配設固定されている。この上限用固定ストッパ体３０は、キャン２０の頂部２１近くの内周に挿入された後に、キャン２０にポンチ加工等で例えば４カ所形成された半球状の陥没凹部２２により固定される。
【００２２】
前記上限用固定ストッパ体３０は、例えば、板金製で、図４に示される如くに、逆フライパン形状とされ、その上面部３２中央に前記弁軸１５の上端部が挿通せしめられる挿通穴３１が形成されるとともに、その上面部３２の外周側に４つの扇形ないし円弧形状の係止用開口３５が９０°間隔をもって配列形成されている。ここでは、ロータ１２（上限用可動ストッパ体５０等も）は、図３，図４（Ａ）、図５（Ａ）の矢印Ｐ方向に回転しながら上昇せしめられるので、前記各係止用開口３５の周方向（回転方向Ｐに沿って前方側に位置する）一端縁部３５ａにより上限用可動ストッパ体５０が係止されるようになっている。
【００２３】
なお、上限用固定ストッパ体３０の剛性、強度、形状安定性等を確保するため、上面部３２の外径φａ（ここでは、例えば２３ｍｍ）より、相互に１８０°離隔する二つの係止用開口３５の外周端間距離φｂをある程度小さくして、上面部の端縁幅ｉを１ｍｍ以上取っておくことが望ましい。
【００２４】
一方、上限用可動ストッパ体５０は、例えば、板金製で、図５に示される如くに、前記スリーブ１３に外嵌される挿通穴５１を有する概略円環状の基板部５２と、該基板部５２から上側に所定角度αだけ折り立てられた斜板部５４（元は基板部５２の一部で平面視円弧状である）と、該斜板部５４から折り曲げられた衝接辺部５５と、を有し、衝接辺部５５の先端５５ａが前記係止用開口３５の周方向一端縁部３５ａにより係止されるようになっている（図３、図６参照）。
【００２５】
ここで、本実施形態においては、前記衝接辺部５５は、回転平面（水平面）に対して上側に所定角度βだけ傾斜せしめられている。この場合、衝接辺部５５の回転平面（水平面）に対する傾斜角度は、０°〜２０°の範囲内に設定することが好ましい。すなわち、２０°以上であると、衝接辺部５５が上限用固定ストッパ体３０の上面部３２に乗り上げてやすくなり、０°以下（水平もしくは下向き）であると、衝接辺部５５が上限用固定ストッパ体３０の下面に面接触して固結する等の動作不良や騒音が発生しやすくなる。
【００２６】
このような構成とされた本実施形態の電動流量制御弁１０では、上限用可動ストッパ体５０の衝接辺部５５が、回転平面（水平面）に対して上側に傾斜（０°〜２０°の範囲内）せしめられているので、衝接辺部５５が上限用固定ストッパ体３０の上面部３２に乗り上げ難くなる。そのため、上限用固定ストッパ体３０及び上限用可動ストッパ体５０の変形破損を招き難くなり、また、衝接辺部５５が上限用固定ストッパ体３０の下面に面接触して固結する等の動作不良や騒音も生じ難くなり、耐久性、信頼性を向上できる。
【００２７】
一方、図７に示される如くに、上限用固定ストッパ体３０に係止用開口３５を例えば８つ設け（前記４つの場合に比して係止用開口３５の周方向長Ｌａが短くなる）、また、衝接辺部５５の平面視長Ｌｂを、前記周方向長Ｌａより長くすることにより、上昇時において、衝接辺部５５の先端部が上限用固定ストッパ体３０の上面部３２に乗り上げる前に、衝接辺部５５の後端側が上限用固定ストッパ体３０の下面に接当するので、衝接辺部５５の上限用固定ストッパ体３０の上面部３２への乗り上げを防ぐことができ、衝接辺部５５の先端５５ａを上限用固定ストッパ体３０の係止用開口３５（の端縁部３５ａ）で確実に係止できる。
【図面の簡単な説明】
【００２８】
【図１】本発明に係る電動流量制御弁の一実施形態の要部を示す部分切欠斜視図。
【図２】本発明に係る電動流量制御弁の一実施形態の要部を示す縦断面図である。
【図３】上限用固定ストッパ体と上限用可動ストッパ体の動作、作用、効果の説明に供される平面図。
【図４】上限用固定ストッパ体を示し、（Ａ）は平面図、（Ｂ）は（Ａ）のＢ−Ｂ矢視断面図。
【図５】上限用可動ストッパ体を示し、（Ａ）は平面図、（Ｂ）は側面図。
【図６】上限用固定ストッパ体と上限用可動ストッパ体の動作、作用、効果の説明に供される平面図。
【図７】上限用固定ストッパ体と上限用可動ストッパ体の他の例を示す図。
【図８】従来の上限用固定ストッパ体と上限用可動ストッパ体の動作、作用、効果、問題点を説明する説明図。
【符号の説明】
【００２９】
１０  電動流量制御弁
１２  ロータ
１５  弁軸
２０  キャン
３０  上限用固定ストッパ体
３５  係止用開口
５０  上限用可動ストッパ体
５４  斜板部
５５  衝接辺部
【図１】
2007032664.tif 000003
【図２】
2007032664.tif 000004
【図３】
2007032664.tif 000005
【図４】
2007032664.tif 000006
【図５】
2007032664.tif 000007
【図６】
2007032664.tif 000008
【図７】
2007032664.tif 000009
【図８】
2007032664.tif 000010